【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
撮像素子が有する画素のうち、撮像用画素の欠陥画素と焦点検出用画素との情報を記憶する画素情報管理装置であって、
撮像用画素の欠陥画素と焦点検出用画素との各々について、
撮像用画素の欠陥画素か焦点検出用画素かを示す情報を格納する第１の領域と、
撮像用画素の欠陥画素か焦点検出用画素かに応じた情報を格納する第２の領域と、
画素の位置を特定する情報を格納する位置情報領域と、
を有する画素情報を記憶し、
前記第１の領域、前記第２の領域、および前記位置情報領域の各々は固定ビット数を有し、
前記位置情報領域には、前記画素の位置を特定する情報として、他の撮像用画素の欠陥画素もしくは他の焦点検出用画素からの、予め定められた画素のスキャン規則に従った相対距離を記憶することを特徴とする画素情報管理装置。
【請求項２】
撮像素子が有する画素のうち、撮像用画素の欠陥画素と焦点検出用画素との情報を記憶する画素情報管理装置であって、
撮像用画素の欠陥画素と焦点検出用画素との各々について、
撮像用画素の欠陥画素か焦点検出用画素かを示す情報を格納する第１の領域と、
撮像用画素の欠陥画素か焦点検出用画素かに応じた情報を格納する第２の領域と、
画素の位置を特定する情報を格納する位置情報領域と、
をそれぞれ異なる領域に有する画素情報を記憶し、
前記位置情報領域には、前記画素の位置を特定する情報として、他の撮像用画素の欠陥画素もしくは他の焦点検出用画素からの相対距離を記憶することを特徴とする画素情報管理装置。
【請求項３】
前記第１の領域、前記第２の領域、および前記位置情報領域の各々は固定ビット数を有することを特徴とする請求項２記載の画素情報管理装置。
【請求項４】
前記焦点検出用画素は、前記撮像素子において予め定められた規則に従って配されていることを特徴とする請求項３記載の画素情報管理装置。
【請求項５】
前記位置情報領域のビット数で表現できる、前記他の撮像用画素の欠陥画素もしくは他の焦点検出用画素のからの相対距離を超える相対距離については、前記第１の領域に焦点検出用画素も撮像用画素も示さない情報を格納した画素情報を含む、複数の画素情報の前記位置情報領域が格納する前記画素の位置を特定する情報を用いて表現することを特徴とする請求項１乃至請求項４のいずれか１項に記載の画素情報管理装置。
【請求項６】
前記撮像用画素の欠陥画素か焦点検出用画素かを示す情報が、欠陥画素の種類を示す情報を含むことを特徴とする請求項１乃至請求項５のいずれか１項に記載の画素情報管理装置。
【請求項７】
前記撮像用画素の欠陥画素か焦点検出用画素かに応じた情報が、前記撮像用画素の欠陥画素については欠陥レベルを示す情報を含み、前記焦点検出用画素については焦点検出用画素の種類を示す情報を含むことを特徴とする請求項１乃至請求項６のいずれか１項に記載の画素情報管理装置。
【請求項８】
前記撮像素子の製造時に前記画素情報を記憶するための領域と、増えた欠陥画素の画素情報を記憶するための領域とをさらに有することを特徴とする請求項１乃至請求項７のいずれか１項に記載の画素情報管理装置。
【請求項９】
前記撮像素子が、読み出される画素の数の異なる複数の読み出しモードを有し、
前記画素情報管理装置が、撮像用画素の欠陥画素と焦点検出用画素との各々について、前記位置情報領域に前記読み出される画素の数に対応した前記画素の位置を特定する情報を格納した複数の画素情報を記憶することを特徴とする請求項１乃至請求項７のいずれか１項に記載の画素情報管理装置。
【請求項１０】
前記焦点検出用画素が前記撮像素子の部分領域に配置され、かつ前記撮像素子が間引き読み出しされるモードを有する場合、
前記画素情報管理装置が、前記間引き読み出しされるモードに対応した前記画素情報として、前記撮像素子の前記部分領域以外の領域に、前記焦点検出用画素と同様の配置密度で前記撮像用画素の欠陥画素が存在するような前記画素情報を記憶することを特徴とする請求項９記載の画素情報管理装置。
【請求項１１】
撮像用画素と焦点検出用画素とを有する撮像素子と、
請求項１乃至請求項７、請求項９、および請求項１０のいずれか１項に記載の画素情報管理装置とを有する撮像装置であって、
前記画素情報のうち、焦点検出用画素を示す情報が前記第１の領域に格納された画素情報を用いて、前記撮像素子が有する焦点検出用画素を判別し、焦点検出用画素の出力信号から位相差検出方式の焦点検出用の像信号を生成する手段と、
前記画素情報のうち、撮像用画素の欠陥画素または焦点検出用画素を示す情報が前記第１の領域に格納された画素情報を用いて、撮像用画素の欠陥画素または焦点検出用画素の位置の信号を補間により生成する手段と、を有することを特徴とする撮像装置。
【請求項１２】
撮像用画素と少なくとも１つの焦点検出用画素とを有する撮像素子と、
前記撮像用画素の欠陥画素と、前記焦点検出用画素との各々について、撮像用画素の欠陥画素か、焦点検出用画素かを示す情報を格納する第１の領域と、撮像用画素の欠陥画素か、焦点検出用画素かに応じた情報を格納する第２の領域と、画素の位置を特定する情報を格納する位置情報領域と、をそれぞれ異なる領域に有する画素情報を記憶する画素情報管理装置とを有する撮像装置であって、
前記画素情報のうち、焦点検出用画素を示す情報が前記第１の領域に格納された画素情報を用いて、前記撮像素子が有する焦点検出用画素を判別し、焦点検出用画素の出力信号から位相差検出方式の焦点検出用の像信号を生成する手段と、
前記画素情報のうち、撮像用画素の欠陥画素または焦点検出用画素を示す情報が前記第１の領域に格納された画素情報を用いて、前記撮像用画素の欠陥画素または前記焦点検出用画素の位置の信号を補間により生成する手段と、を有することを特徴とする撮像装置。
【請求項１３】
前記第１の領域、前記第２の領域、および前記位置情報領域の各々は固定ビット数を有することを特徴とする請求項１２記載の撮像装置。
【請求項１４】
前記焦点検出用画素は、予め定められた規則に従って配されていることを特徴とする請求項１２または請求項１３記載の撮像装置。
【請求項１５】
前記位置情報領域のビット数で表現できる相対距離を超える相対距離については、前記第１の領域に焦点検出用画素も撮像用画素も示さない情報を格納した画素情報を含む、複数の画素情報の前記位置情報領域が格納する前記画素の位置を特定する情報を用いて表現することを特徴とする請求項１２乃至請求項１４のいずれか１項に記載の撮像装置。
【請求項１６】
前記撮像用画素の欠陥画素か、焦点検出用画素かを示す情報が、欠陥画素の種類を示す情報を含むことを特徴とする請求項１２乃至請求項１５のいずれか１項に記載の撮像装置。
【請求項１７】
前記撮像用画素の欠陥画素か、焦点検出用画素かに応じた情報が、前記撮像用画素の欠陥画素については欠陥レベルを示す情報を含み、前記焦点検出用画素については焦点検出用画素の種類を含むことを特徴とする請求項１２乃至請求項１６のいずれか１項に記載の撮像装置。
【請求項１８】
前記撮像素子の製造時に前記画素情報を記憶するための領域と、増えた欠陥画素の画素情報を記憶するための領域とを有することを特徴とする請求項１２乃至請求項１７のいずれか１項に記載の撮像装置。
【請求項１９】
前記撮像素子が、読み出される画素の数の異なる複数の読み出しモードを有し、
前記画素情報管理装置が、撮像用画素の欠陥画素と、焦点検出用画素との各々について、前記位置情報領域に前記読み出される画素の数に対応した前記画素の位置を特定する情報を格納した複数の画素情報を有することを特徴とする請求項１２乃至請求項１８のいずれか１項に記載の撮像装置。
【請求項２０】
前記焦点検出用画素が前記撮像素子の部分領域に配置され、かつ前記撮像素子が間引き読み出しされるモードを有する場合、
前記画素情報管理装置が、前記間引き読み出しされるモードに対応した前記画素情報として、前記撮像素子の前記部分領域以外の領域に、前記焦点検出用画素と同様の配置密度で前記撮像用画素の欠陥画素が存在するような前記画素情報を有することを特徴とする請求項１９に記載の撮像装置。
【手続補正２】
【補正対象書類名】明細書
【補正対象項目名】００１３
【補正方法】変更
【補正の内容】
【００１３】
上述の目的は、撮像素子が有する画素のうち、撮像用画素の欠陥画素と焦点検出用画素との情報を記憶する画素情報管理装置であって、撮像用画素の欠陥画素と焦点検出用画素との各々について、撮像用画素の欠陥画素か焦点検出用画素かを示す情報を格納する第１の領域と、撮像用画素の欠陥画素か焦点検出用画素かに応じた情報を格納する第２の領域と、画素の位置を特定する情報を格納する位置情報領域と、を有する画素情報を記憶し、第１の領域、第２の領域、および位置情報領域の各々は固定ビット数を有し、位置情報領域には、画素の位置を特定する情報として、他の撮像用画素の欠陥画素もしくは焦点検出用画素からの、予め定められた画素のスキャン規則に従った相対距離を記憶することを特徴とする画素情報管理装置によって達成される。
【手続補正３】
【補正対象書類名】明細書
【補正対象項目名】００３７
【補正方法】変更
【補正の内容】
【００３７】
画素ＩＤ処理回路６０１に保持されている画素ＩＤがＩＤ指定レジスタ６０５に指定されている画素ＩＤであれば、ＩＤ検知回路６０６はＡＮＤゲート６０７に値”１”の信号を、それ以外の場合（ダミーＩＤの場合を含む）は値”０”の信号をＡＮＤゲート６０７に出力する。ＡＮＤゲート６０７は位置情報処理回路６０３の出力とＩＤ検知回路６０６の出力との論理積をタイミングフラグ（処理すべき欠陥画素・焦点検出用画素を示す欠陥フラグ）として出力する。また、ＩＤ検知回路６０６は、画素ＩＤが欠陥の種類を示す情報の場合、その情報を出力する。